(57)【要約】【課題】  高電圧を出力する２次コイルの出力端子とコア間の絶縁距離を延長させる高圧変圧器及びその高圧変圧器を用いる電子レンジを提供すること。【解決手段】  交流電圧を昇圧するための複数のコイルで取り囲まれ、接地されるコアと、前記複数のコイルにより昇圧された電圧を出力する出力端子と、前記出力端子と前記コア間に介設される絶縁部材と、を含む。【選択図】  図２
2004336007.tif 000002
【特許請求の範囲】
【請求項１】
交流電圧を昇圧するための複数のコイルで取り囲まれ、接地されるコアと、
前記複数のコイルにより昇圧された電圧を出力する出力端子と、
前記出力端子と前記コア間に介設される絶縁部材とを含んでなることを特徴とする高圧変圧器。
【請求項２】
前記出力端子は２次コイルに連結され、前記複数のコイルは前記高圧変圧器の低圧側と高圧側にそれぞれ連結される１次コイルと２次コイルを含むことを特徴とする請求項１に記載の高圧変圧器。
【請求項３】
前記絶縁部材は前記出力端子と前記コア間の絶縁距離を延長させることを特徴とする請求項１に記載の高圧変圧器。
【請求項４】
前記絶縁距離は前記出力端子から前記コアまで迂回する距離であり、前記迂回距離は前記出力端子と前記コア間の直線距離より大きいことを特徴とする請求項３に記載の高圧変圧器。
【請求項５】
前記絶縁部材は板状を有することを特徴とする請求項１に記載の高圧変圧器。
【請求項６】
前記絶縁部材は前記複数のコイルの巻線方向に垂直なことを特徴とする請求項１に記載の高圧変圧器。
【請求項７】
前記高圧変圧器は、前記出力端子を保持する端子支持部をさらに含み、前記絶縁部材は前記端子支持部と前記コア間に介設されることを特徴とする請求項１に記載の高圧変圧器。
【請求項８】
前記端子支持部は絶縁紙を含むことを特徴とする請求項７に記載の高圧変圧器。
【請求項９】
前記絶縁部材は電気絶縁性及び耐熱性を有する樹脂を含むことを特徴とする請求項１に記載の高圧変圧器。
【請求項１０】
交流電圧を供給する電源供給部と、
前記交流電圧を昇圧させるための複数のコイルで取り囲まれ、接地されるコア、前記複数のコイルにより昇圧された電圧を出力する出力端子、及び前記出力端子と前記コア間に介設される絶縁部材を含む高圧変圧器と、
高周波を発生させるマグネトロンと、
前記マグネトロンに電気的に連結され、前記高圧変圧器により昇圧された電圧を受け、駆動電圧を前記マグネトロンに供給する高圧回路部とを含んでなることを特徴とする電子レンジ。
【請求項１１】
前記絶縁部材は前記出力端子と前記コア間の絶縁距離を延長させることを特徴とする請求項１０に記載の電子レンジ。
【請求項１２】
前記絶縁距離は前記出力端子から前記コアまで迂回する距離であり、前記迂回距離は前記出力端子と前記コア間の直線距離より大きいことを特徴とする請求項１０に記載の電子レンジ。
【請求項１３】
前記絶縁部材は板状を有することを特徴とする請求項１０に記載の電子レンジ。
【請求項１４】
前記絶縁部材は前記複数のコイルの巻線方向に垂直なことを特徴とする請求項１０に記載の電子レンジ。
【請求項１５】
電位差部に電気的に連結されるコアと、
前記コアを取り囲み、高圧変圧器の低圧部に連結される１次コイルと、
前記１次コイル付近に設けられ、高圧変圧器の高圧部に連結される２次コイルと、
前記２次コイルに取り付けられる絶縁端子支持部と、
前記絶縁端子支持部に装着される出力端子と、
前記２次コイルと前記出力端子間に設けられる絶縁部材とを含んでなり、
前記絶縁部材は前記出力端子と前記２次コイル間の電磁気距離を効果的に延長させることを特徴とする高圧変圧器。
【請求項１６】
前記高圧変圧器は、前記２次コイルの第１部及び第２部をそれぞれ取り囲む第１絶縁紙及び第２絶縁紙をさらに含み、前記第２絶縁紙は前記２次コイルと前記絶縁部材間に設けられることを特徴とする請求項１５に記載の高圧変圧器。
【請求項１７】
前記高圧変圧器は、ヒータコイルと、前記第１及び第２絶縁紙を取り囲む第３絶縁紙とをさらに含み、前記第３絶縁紙は前記第２コイルと前記ヒータコイル間に介設されることを特徴とする請求項１６に記載の高圧変圧器。
【請求項１８】
交流電圧を昇圧させるための複数のコイルで取り囲まれる少なくとも一つの鉄心を有し、電位差部に連結されるＥ形コアと、
前記Ｅ形コアの少なくとも一つの鉄心と接触しているＩ形コアと、前記複数のコイルにより昇圧された電圧を出力する出力端子と、
前記出力端子と前記Ｅ形コア間に介設される絶縁部材とを含んでなることを特徴とする高圧変圧器。
【請求項１９】
前記絶縁部材は前記出力端子と前記Ｅ形コア間の絶縁距離を効果的に延長させることを特徴とする請求項１８に記載の高圧変圧器。
【請求項２０】
前記絶縁距離は前記出力端子から前記Ｅ形コアまで迂回する距離であり、前記迂回距離は前記出力端子と前記Ｅ形コア間の直線距離より大きいことを特徴とする請求項１８に記載の高圧変圧器。
【発明の詳細な説明】
【技術分野】
【０００１】
本発明は２次コイルの出力端子とコア間の絶縁距離を延長させることにより絶縁構造を改善する高圧変圧器及びその高圧変圧器を用いる電子レンジに関するものである。
【背景技術】
【０００２】
高圧変圧器は外部電源から受けた入力電源を高電圧に昇圧して出力する役割をする機器で、電子レンジなどの家電製品に適用される。
【０００３】
電子レンジに適用される高圧変圧器は多数の鉄心を重畳してなるＥ形コアとＩ形コアを互いに結合し、Ｅ形コアとＩ形コア間に１次コイル、２次コイル、パスコア、ヒータコイルなどの電気部品を設けてなるものである。この電気部品は絶縁紙で取り囲まれて絶縁される。絶縁紙としては、通常、ノーメックスペーパー（NOMEX paper）を使用する。
【０００４】
高圧変圧器は昇圧された電圧を出力するための出力端子を有する。この出力端子は２次コイルに電気的に連結される。この高圧変圧器が適用される電子レンジにはマグネトロンに駆動電圧を印加するための高圧回路部が設けられ、この高圧回路部には高圧変圧器の出力端子が電気的に連結される。すなわち、高圧変圧器の出力端子は昇圧された電圧を高圧回路部に供給するためのコネクタの役目を果たす。
【０００５】
従来の高圧変圧器は、１次コイル及び２次コイルなどの電気部品を絶縁紙で取り囲んで絶縁し、電気部品を組み立てた後、ワニス液に浸漬することにより製造される。
【０００６】
高圧変圧器の出力端子は、高電圧を出力する関係で、絶縁紙からなった端子支持部に装着され、コア（接地）から一定距離だけ離れて取り付けられる。
【０００７】
より十分な絶縁性能を確保するため、高圧変圧器の出力端子とコア間の絶縁距離を延長することを国際標準機関で要求している。すなわち、高圧変圧器の出力端子から面に沿って移動してコアに到達する側面距離を長く設定するようにしている。このような国際標準機関の要求を受け入れるため、出力端子を固定するための端子支持部の厚さをより増大してコアから出力端子をより遠く離す方法を考慮することができる。しかし、絶縁紙からなる端子支持部を余り厚くすると、端子支持部を２次コイルに固定するとともにその端子支持部に出力端子を固定することが難しくて作業時間が長くかかるだけでなく、出力端子が外側に延長して高圧変圧器の全体サイズが増加する。よって、高圧変圧器を電子レンジに取り付けると、大きい占有空間を占めるので、製品の小型化に差し支える。
【発明の開示】
【発明が解決しようとする課題】
【０００８】
したがって、本発明は前記のような従来の問題点を解決するためになされたもので、その目的は高圧変圧器の出力端子とコア間の絶縁距離を延長し得るようにした高圧変圧器及びその高圧変圧器を用いる電子レンジを提供することにある。
【０００９】
本発明のほかの目的は、絶縁構造を改善しながらも全体サイズの増大を抑制することにより製品の小型化を図るようにした高圧変圧器を用いる電子レンジを提供することにある。
【課題を解決するための手段】
【００１０】
前記目的を達成するため、本発明は、交流電圧を昇圧するための複数のコイルで取り囲まれ、接地されるコアと、前記複数のコイルにより昇圧された電圧を出力する出力端子と、前記出力端子と前記コア間に介設される絶縁部材とを含んでなる高圧変圧器を提供する。
【００１１】
前記出力端子は２次コイルに連結され、前記複数のコイルは前記高圧変圧器の低圧側と高圧側に連結される１次コイルと２次コイルを含み得る。
【００１２】
前記絶縁部材は前記出力端子と前記コア間の絶縁距離を延長させる。
【００１３】
前記絶縁距離は前記出力端子から前記コアまで迂回する距離であり、前記迂回距離は前記出力端子と前記コア間の直線距離より大きく形成できる。
【００１４】
前記絶縁部材は板状を有し得る。
【００１５】
前記絶縁部材は前記複数のコイルの巻線方向に垂直であり得る。
【００１６】
前記高圧変圧器は、前記出力端子を保持する端子支持部をさらに含み得、前記絶縁部材は前記端子支持部と前記コア間に介設される。
【００１７】
前記端子支持部は絶縁紙を含み得る。
【００１８】
前記絶縁部材は電気絶縁性及び耐熱性を有する樹脂を含み得る。
【００１９】
また、本発明は、交流電圧を供給する電源供給部と、前記交流電圧を昇圧させるための複数のコイルで取り囲まれ、接地されるコア、前記複数のコイルにより昇圧された電圧を出力する出力端子、及び前記出力端子と前記コア間に介設される絶縁部材を含む高圧変圧器と、高周波を発生させるマグネトロンと、前記マグネトロンに電気的に連結され、前記高圧変圧器により昇圧された電圧を受け、駆動電圧を前記マグネトロンに供給する高圧回路部とを含んでなる電子レンジを提供する。
【発明の効果】
【００２０】
以上のような本発明によると、高圧変圧器の出力端子とコア間に板状の絶縁部材を垂直に設けることにより、高電圧を出力する２次コイルの出力端子と接地コア間の絶縁距離を延長させることができる。また、本発明は、絶縁部材の占有空間が大きくないため、高圧変圧器の全体サイズが増大することを抑制することができるので、製品の小型化及び組立作業の簡便化を図ることができる。さらに、本発明による高圧変圧器は、マグネトロンに駆動電圧を供給するための電子レンジの高圧回路部に電気的に連結することに有用である。
【発明を実施するための最良の形態】
【００２１】
以下、本発明による好ましい実施例を添付図面に基づいて詳細に説明する。
【００２２】
図１は本発明による高圧変圧器を分解して示すもので、電子レンジに適用される高圧変圧器の例を示す。
【００２３】
本発明による高圧変圧器１００はＥ形コア１０及びＩ形コア６０を含み、前記Ｅ形コア１０及びＩ形コア６０は多数枚の鉄心を重畳して構成する。
【００２４】
Ｅ形コア１０とＩ形コア６０間には、高圧を発生するための電気部品として、２次コイル２０、ヒータコイル３０、パスコア４０及び１次コイル５０が介設される。出力端子２２ｂ及びヒータコイルなどのような電気部品の特定部分はＥ形コア１０とＩ形コア６０から突出する。
【００２５】
２次コイル２０は絶縁紙２４、２４ａ、２４ｂで取り囲まれ、２次コイル２０から延長される一対の出力端子２２ａ、２２ｂは絶縁紙からなった端子支持部２１に固定され、２次コイルから延長される接地端子２３は絶縁紙２４ｂに固定される。出力端子２２ａ、２２ｂは絶縁紙からなった端子支持部２１に固定されるが、その一つの出力端子２２ａは昇圧された電圧を出力するためコネクタの役割をする。前記接地端子２３はＥ形コア１０に固定される。
【００２６】
端子支持部２１と絶縁紙２４ａ間には絶縁部材２６が介設され、これらは接着剤により固定される。前記絶縁部材２６は電気絶縁性及び耐熱性を有する樹脂からなる。絶縁紙２５は２次コイル２０を重畳して取り囲むため、絶縁紙２４、２４ａ、２４ｂの外面を取り囲み、２次コイル２０とヒータコイル３０間に介設される。図２に示すように、絶縁紙２５は端子支持部２１の外側に突出しているので、下側のＥ形コア１０と出力端子２２ａ、２２ｂ間の絶縁距離を十分に確保することができる。絶縁紙２５の下側にはヒータコイル３０が位置する。
【００２７】
ヒータコイル３０の下側にはパスコア４０が位置し、パスコア４０は絶縁紙４１で取り囲まれる。パスコア４０の下側には１次コイル５０が位置し、１次コイル５０は絶縁紙５１で取り囲まれる。１次コイル５０の端子支持部５２には入力端子５３が設けられる。この入力端子５３を介して交流電圧が印加される。
【００２８】
本発明による絶縁部材２６は端子支持部２１とＥ形コア１０間に配置される。図２に示すように、Ｅ形コア１０に挿設された２次コイル２０の外側には端子支持部２１が折曲されて立てられており、端子支持部２１には２次コイル２０の出力端子２２ａ、２２ｂが固定され、絶縁部材２６は端子支持部２１と２次コイル２０間に介設され、これらは接着剤で結合される。
【００２９】
絶縁部材２６は、出力端子２２ａ、２２ｂとＥ形コア１０間の絶縁距離を延長させるため、板状に形成されて立設される。ここで、絶縁距離は出力端子２２ａ、２２ｂとＥ形コア１０間を迂回する側面距離（ｄ１＋ｄ２）であるが、前記側面距離（ｄ１＋ｄ２）は前記出力端子２２ａ、２２ｂと前記Ｅ形コア１０間の直線距離（ｄ３）より大きい。
【００３０】
このように、本発明による高圧変圧器１００は、板状の絶縁部材２６を設けることにより、２次コイルの出力端子２２ａ、２２ｂとＥ形コア１０間の絶縁距離を延長することができ、絶縁部材２６の取付け作業が簡便であり、その占有空間が大きくないので、高圧変圧器の全体サイズが増大することを抑制することができる。
【００３１】
このような本発明による高圧変圧器１００は電子レンジに適用できる。
【００３２】
図４に示すように、本発明による高圧変圧器１００は電源部１０１と高圧回路部１０２に電気的に連結される。高圧変圧器１００は電源部１０１から交流電圧を受け、１次コイル１０及び２次コイル６０の巻線比に基づいて昇圧された高電圧を出力端子２２ａ、２２ｂを介して高圧回路部１０２に出力する。高圧回路部１０２は、高周波を発生するため、マグネトロン１０３に駆動電圧を印加する。これにより、マグネトロン１０３が駆動して、調理室内の調理物を加熱して調理することになる。
【図面の簡単な説明】
【００３３】
【図１】本発明による高圧変圧器の分解斜視図である。
【図２】図１の高圧変圧器の結合状態を示す斜視図である。
【図３】図１の高圧変圧器の絶縁距離を示す概略側面図である。
【図４】本発明による高圧変圧器が適用される電子レンジの回路図である。
【符号の説明】
【００３４】
１０  Ｅ形コア
２０  ２次コイル
２１  端子支持部
２２ａ、２２ｂ  出力端子
２３  接地端子
２４、２４ａ、２４ｂ  絶縁紙
２５  絶縁紙
２６  絶縁部材
３０  ヒータコイル
４０  パスコア
４１、５１  絶縁紙
５０  １次コイル
５２  端子支持部
５３  入力端子
６０  Ｉ形コア
１００  高圧変圧器
１０１  電源部
１０２  高圧回路部
１０３  マグネトロン
【図１】
2004336007.tif 000003
【図２】
2004336007.tif 000004
【図３】
2004336007.tif 000005
【図４】
2004336007.tif 000006